(57)【要約】【課題】ノズルプレートへのインクの付着を防止し、ノズルからのインクの吐出性能を改善し、印刷物によるクリアファイルの変形を防止する。【解決手段】色材と、シリコーンオイル（ａ）と、エチレン性不飽和二重結合を有するカルボン酸エステル系溶剤（ｂ）、エチレン性不飽和二重結合を有するアルコール系溶剤（ｃ１）、及びエチレン性不飽和二重結合を有する固体アルコール（ｃ２）からなる群から選択される１種以上とを含み、シリコーンオイル（ａ）、カルボン酸エステル系溶剤（ｂ）、及びアルコール系溶剤（ｃ１）を含む非水系溶剤と固体アルコール（ｃ２）との合計量Ａに対し、シリコーンオイル（ａ）は、１５質量％以上であり、カルボン酸エステル系溶剤（ｂ）は、８５質量％以下であり、アルコール系溶剤（ｃ１）及び固体アルコール（ｃ２）の合計量は、２０質量％以下である、油性インクジェットインクである。【選択図】なし【特許請求の範囲】
【請求項１】
色材と、シリコーンオイル（ａ）と、エチレン性不飽和二重結合を有するカルボン酸エステル系溶剤（ｂ）、エチレン性不飽和二重結合を有するアルコール系溶剤（ｃ１）、及びエチレン性不飽和二重結合を有する固体アルコール（ｃ２）からなる群から選択される１種以上とを含み、
前記シリコーンオイル（ａ）、前記カルボン酸エステル系溶剤（ｂ）、及び前記アルコール系溶剤（ｃ１）を含む非水系溶剤と前記固体アルコール（ｃ２）との合計量Ａに対し、前記シリコーンオイル（ａ）は、１５質量％以上であり、前記カルボン酸エステル系溶剤（ｂ）は、８５質量％以下であり、前記アルコール系溶剤（ｃ１）及び前記固体アルコール（ｃ２）の合計量は、２０質量％以下である、油性インクジェットインク。
【請求項２】
前記カルボン酸エステル系溶剤（ｂ）は、下記一般式（ｂ１）で表されるカルボン酸エステル系溶剤を含む、請求項１に記載の油性インクジェットインク。
Ｒ１−ＣＯＯ−Ｒ２            （ｂ１）
（一般式（ｂ１）において、Ｒ１及びＲ２は、それぞれ独立的に炭素数が１〜２２である飽和又は不飽和の炭化水素基であり、Ｒ１及びＲ２のうち少なくとも一方は、炭素数が５〜２２でありエチレン性不飽和二重結合を有する炭化水素基である。）
【請求項３】
前記カルボン酸エステル系溶剤（ｂ）は、１分子中の炭素数が１８以上である、請求項１又は２に記載の油性インクジェットインク。
【請求項４】
前記カルボン酸エステル系溶剤（ｂ）は、１分子中の炭素数が２０以上であり、前記合計量Ａに対し２５質量％以上で含まれる、請求項３に記載の油性インクジェットインク。
【請求項５】
前記アルコール系溶剤（ｃ１）及び前記固体アルコール（ｃ２）は、それぞれ１分子中の炭素数が５〜２２である、請求項１から４のいずれか１項に記載の油性インクジェットインク。
【請求項６】
前記アルコール系溶剤（ｃ１）及び前記固体アルコール（ｃ２）の合計量は、前記合計量Ａに対し３質量％以上で含まれる、請求項１から５のいずれか１項に記載の油性インクジェットインク。
【発明の詳細な説明】
【技術分野】
【０００１】
本発明は、油性インクジェットインクに関する。
【背景技術】
【０００２】
インクジェット記録方式は、流動性の高いインクジェットインクを微細なノズルから液滴として噴射し、ノズルに対向して置かれた記録媒体に画像を記録するものであり、低騒音で高速印字が可能であることから、近年急速に普及している。このようなインクジェット記録方式に用いられるインクとして、水を主溶媒として含有する水性インク、重合性モノマーを主成分として高い含有量で含有する紫外線硬化型インク（ＵＶインク）、ワックスを主成分として高い含有量で含有するホットメルトインク（固体インク）とともに、非水系溶剤を主溶媒として含有する、いわゆる非水系インクが知られている。非水系インクは、主溶媒が揮発性有機溶剤であるソルベントインク（溶剤系インク）と、主溶媒が低揮発性あるいは不揮発性の有機溶剤である油性インク（オイル系インク）に分類できる。ソルベントインクは主に有機溶剤の蒸発によって記録媒体上で乾燥するのに対して、油性インクは記録媒体への浸透が主となって乾燥する。
【０００３】
油性インクジェットインクによって画像形成された印刷物を、ポリプロピレン（ＰＰ）製等のクリアファイルに挟み込み保管すると、クリアファイルが変形する問題がある。この一因としては、クリアファイルが印刷面と接すると、インク成分によってクリアファイルの片面が膨潤するためである。
特許文献１では、透明ファイルを膨潤させたり、大きく変形させることなく、高い吐出安定性を有するインクジェット用非水系インク組成物として、顔料と分散剤と非水系溶媒とを含有し、非水系溶媒の全重量の５０％以上は、炭素数２４以上３６以下のエステル系溶媒であるインクを提案している。
【０００４】
特許文献２では、シリコーン系溶媒と顔料を含有し、さらに分散剤として特定の変性シリコーンオイルを含んでいるインクジェット用非水系顔料インクによって、インクの安定性、ノズル目詰まり及びクリアファイル変形を改善することを提案している。
特許文献３では、少なくとも沸点が１００℃〜２５０℃のシリコーン系溶媒を２〜９５ｗｔ（％）と、該溶媒に不溶な着色材を含有するインクジェット記録用インクによって、紙質によらず良好な印字品質が得られ、また印字後数秒で十分な耐刷性が得られ、カラー画像において混色の無い鮮明な画像が得られることを提案している。
【０００５】
特許文献４では、顔料と、非水系溶剤と、界面活性剤とを含有し、界面活性剤として、ＨＬＢ値が１．０以上７．０以下のシロキサン系界面活性剤を含む非水系インクジェットインク組成物によって、画像の光学濃度、吐出安定性及び保存安定性を改善することを提案している。
【０００６】
特許文献５では、分子骨格中にシロキサン結合を持つ絶縁性溶剤を用いたインクジェットプリンタ用インクによって、高濃度で鮮明な印字を可能にし、耐擦過性を有し、かつ安定吐出が可能になることを提案している。
【先行技術文献】
【特許文献】
【０００７】
【特許文献１】特開２００７−１５４１４９号公報
【特許文献２】特開２００４−２１７７０３号公報
【特許文献３】特開平４−２４８８７９号公報
【特許文献４】特開２０１６−１９６５６４号公報
【特許文献５】特開平４−１６１４６７号公報
【特許文献６】特開２００５−１３２９０７号公報
【特許文献７】特開２００６−０８３３１２号公報
【発明の概要】
【発明が解決しようとする課題】
【０００８】
高炭素数のエステル系溶剤は、比較的に高粘度であるため、このエステル系溶剤を用いたインクではインクジェットノズルからの吐出性能が十分に得られない問題がある。
また、シリコーン系溶剤はインクジェットのノズルプレートに対して親和性が高く、シリコーン系溶剤を用いたインクは、ノズルプレートに付着しやすく、ノズルヘッドプレートに付着したインクが印刷物に液だれしたり、ノズルヘッド付近でインクが固化してノズル不吐出の原因となったりすることがある。
この問題は、特許文献１に開示される高炭素数のエステル系溶剤、特許文献２〜５に開示されるシリコーン系溶剤においても解消されていない。
【０００９】
特許文献６には、インクジェット記録用油性インクの溶媒に、植物由来の脂肪酸エステルを用いることが提案されている。高炭素数の脂肪酸エステルでは、インクが高粘度化する問題がある。また、低炭素数の脂肪酸エステルでは、クリアファイルの原料樹脂と構造が似てきて、印刷物によるクリアファイルの変形が問題になる。
【００１０】
特許文献７には、非水系インクジェットインクの溶剤に、不飽和高級脂肪酸と、不飽和高級脂肪酸エステル及び／又は不飽和高級アルコールとを用いることが提案されている。高炭素数の溶剤では、インクが高粘度化する問題がある。また、低炭素数の溶剤では、クリアファイルの原料樹脂と構造が似てきて、印刷物によるクリアファイルの変形が問題になる。
さらに、特許文献１〜７では、いずれもインクジェットのノズルプレートにインクが付着する問題については検討されていない。また、特許文献３〜７では、いずれもクリアファイルの変形について検討されていない。
【００１１】
本発明の一目的としては、ノズルプレートへのインクの付着を防止し、ノズルからのインクの吐出性能を改善し、印刷物によるクリアファイルの変形を防止することができる。
【課題を解決するための手段】
【００１２】
本発明の一実施形態としては、色材と、シリコーンオイル（ａ）と、エチレン性不飽和二重結合を有するカルボン酸エステル系溶剤（ｂ）、エチレン性不飽和二重結合を有するアルコール系溶剤（ｃ１）、及びエチレン性不飽和二重結合を有する固体アルコール（ｃ２）からなる群から選択される１種以上とを含み、前記シリコーンオイル（ａ）、前記カルボン酸エステル系溶剤（ｂ）、及び前記アルコール系溶剤（ｃ１）を含む非水系溶剤と前記固体アルコール（ｃ２）との合計量Ａに対し、前記シリコーンオイル（ａ）は、１５質量％以上であり、前記カルボン酸エステル系溶剤（ｂ）は、８５質量％以下であり、前記アルコール系溶剤（ｃ１）及び前記固体アルコール（ｃ２）の合計量は、２０質量％以下である、油性インクジェットインクである。
【発明の効果】
【００１３】
一実施形態によれば、ノズルプレートへのインクの付着を防止し、ノズルからのインクの吐出性能を改善し、印刷物によるクリアファイルの変形を防止することができる。
【発明を実施するための形態】
【００１４】
以下、本発明を一実施形態を用いて説明する。以下の実施形態における例示が本発明を限定することはない。
一実施形態による油性インクジェットインク（以下、単にインクと称することがある。）としては、色材と、シリコーンオイル（ａ）と、エチレン性不飽和二重結合を有するカルボン酸エステル系溶剤（ｂ）、エチレン性不飽和二重結合を有するアルコール系溶剤（ｃ１）、及びエチレン性不飽和二重結合を有する固体アルコール（ｃ２）からなる群から選択される１種以上とを含み、シリコーンオイル（ａ）、カルボン酸エステル系溶剤（ｂ）、及びアルコール系溶剤（ｃ１）を含む非水系溶剤と固体アルコール（ｃ２）との合計量Ａに対し、シリコーンオイル（ａ）は、１５質量％以上であり、カルボン酸エステル系溶剤（ｂ）は、８５質量％以下であり、アルコール系溶剤（ｃ１）及び固体アルコール（ｃ２）の合計量は、２０質量％以下であることを特徴とする。
これによれば、ノズルプレートへのインクの付着を防止し、ノズルからのインクの吐出性能を改善し、印刷物によるクリアファイルの変形を防止することができる。
【００１５】
以下、エチレン性不飽和二重結合を有するカルボン酸エステル系溶剤（ｂ）を単にカルボン酸エステル系溶剤（ｂ）とも記し、エチレン性不飽和二重結合を有するアルコール系溶剤（ｃ１）を単にアルコール系溶剤（ｃ１）とも記し、エチレン性不飽和二重結合を有する固体アルコール（ｃ２）を単に固体アルコール（ｃ２）とも記し、これらからなる群から選択される１種以上を単に「不飽和化合物」とも記す。
また、シリコーンオイル（ａ）、カルボン酸エステル系溶剤（ｂ）、及びアルコール系溶剤（ｃ１）を含む非水系溶剤と固体アルコール系溶剤（ｃ２）との合計量を単に合計量Ａとも記す。非水系溶剤に、（ａ）、（ｂ）、及び（ｃ１）以外のその他の非水系溶剤が含まれる場合には、その他の非水系溶剤も合計量Ａに含まれる。
【００１６】
クリアファイル、特にポリプロピレン（ＰＰ）製のクリアファイルを用いて、油性インクによる印刷物を挟み込む場合、印刷物のインク成分、特に非水系溶剤成分が揮発して、クリアファイルに接触すると、クリアファイルの内側の面が大きく変性し、クリアファイルの外側の面に対して膨潤ないし収縮して、クリアファイルが変形することがある。これは、油性インクに用いられる非水系溶剤の構造がクリアファイルのポリプロピレンと似ていると、起こりやすくなる。
【００１７】
インクに高沸点溶剤を用いることで、印刷物から非水系溶剤成分が揮発しないようにして、クリアファイルの変形を防ぐことができる。しかし、高沸点溶剤は、一般的に高粘度となって、インクジェットインクとしては、インクジェットノズルからのインクの吐出性が低下する問題がある。
シリコーンオイルは比較的に低粘度でありながら、クリアファイルの変形を防止することができる。しかし、シリコーンオイルは、表面張力が低く接触角が低いため、ノズルプレートに対して濡れ性が高く、色材とノズルプレートの親和性を高めるように作用することがあり、ノズルプレートにインクが付着しやすい問題がある。
【００１８】
カルボン酸エステル系溶剤（ｂ）、アルコール系溶剤（ｃ１）及び固体アルコール（ｃ２）は、エチレン性不飽和二重結合を有することで、飽和のカルボン酸エステル及び飽和のアルコールよりも、極性が高い傾向がある。この極性が高い不飽和化合物を用いることで、インク中で色材の分散性ないし溶解性を改善することができ、ノズルプレートに対して色材が付着しにくいように作用すると考えられる。
【００１９】
インクに、ノズルプレートに対して親和性を有する官能基部分を備える顔料を用いる場合に、ノズルプレートへのインクの付着がより問題になる。この場合では、インク中での顔料の分散性を高め、顔料の官能基を顔料分散剤によって保護することで、ノズルプレートに付着しにくいようにする効果をさらに期待できる。このような顔料としてはカーボンブラック等がある。
【００２０】
また、高粘度の不飽和化合物を用いる場合、インク全体が高粘度となって、ノズルからのインクの吐出性能が低下することがあるが、比較的に低粘度のシリコーンオイル（ａ）と合わせて用いることで、吐出性能の低下を防止することができる。
【００２１】
また、低粘度の不飽和化合物は、比較的に低炭素数の官能基を有するため、クリアファイルの原料の樹脂と構造が似ていて、クリアファイルを変形させる問題がある。低炭素数の不飽和化合物は、比較的に低沸点でもあるため、印刷物がクリアファイルに挟み込まれた状態で、インク成分が揮発しやすく、さらにクリアファイルを変形させる問題がある。
低粘度の不飽和化合物とともにシリコーンオイル（ａ）を合わせて用いることで、シリコーンオイル（ａ）はクリアファイルの原料の樹脂と構造が異なるため、クリアファイルの変形を防止することができる。
【００２２】
インクは、色材として顔料、染料、またはこれらの組み合わせを含むことができる。
顔料としては、アゾ顔料、フタロシアニン顔料、多環式顔料、染付レーキ顔料等の有機顔料；及び、カーボンブラック、金属酸化物等の無機顔料を用いることができる。アゾ顔料としては、溶性アゾレーキ顔料、不溶性アゾ顔料及び縮合アゾ顔料等が挙げられる。フタロシアニン顔料としては、金属フタロシアニン顔料及び無金属フタロシアニン顔料等が挙げられる。多環式顔料としては、キナクリドン系顔料、ペリレン系顔料、ペリノン系顔料、イソインドリン系顔料、イソインドリノン系顔料、ジオキサジン系顔料、チオインジゴ系顔料、アンスラキノン系顔料、キノフタロン系顔料、金属錯体顔料及びジケトピロロピロール（ＤＰＰ）等が挙げられる。カーボンブラックとしては、ファーネスカーボンブラック、ランプブラック、アセチレンブラック、チャンネルブラック等が挙げられる。金属酸化物としては、酸化チタン、酸化亜鉛等が挙げられる。これらの顔料は単独で、または２種以上を組み合わせて用いてもよい。
【００２３】
顔料の分散形態は、顔料を非油溶性樹脂で被覆したいわゆるカプセル顔料や着色樹脂粒子、及びそれらを顔料分散剤で分散させた分散体であってもよいが、顔料表面に官能基を化学結合させたいわゆる自己分散顔料の分散体や、顔料分散剤を顔料表面に直接吸着させて分散させた分散体であることが好ましい。
【００２４】
顔料の平均粒子径としては、吐出安定性と保存安定性の観点から、３００ｎｍ以下であることが好ましく、より好ましくは２００ｎｍ以下であり、さらに好ましくは１５０ｎｍ以下である。
顔料は、インク全量に対し、通常０．０１〜２０質量％であり、印刷濃度とインク粘度の観点から、１〜１５質量％であることが好ましく、５〜１０質量％であることが一層好ましい。
【００２５】
インク中で顔料を安定して分散させるために、顔料とともに顔料分散剤を用いることができる。
顔料分散剤としては、例えば、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、ビニルピロリドンと長鎖アルケンとの共重合体、変性ポリウレタン、変性ポリアクリレート、ポリエーテルエステル型アニオン系活性剤、ポリオキシエチレンアルキルリン酸エステル、ポリエステルポリアミン等が好ましく用いられる。
【００２６】
顔料分散剤の市販品例としては、例えば、アイ・エス・ピー・ジャパン株式会社製「アンタロンＶ２１６（ビニルピロリドン・ヘキサデセン共重合体）、Ｖ２２０（ビニルピロリドン・エイコセン共重合体）」（いずれも商品名）；日本ルーブリゾール株式会社製「ソルスパース１３９４０（ポリエステルアミン系）、１６０００、１７０００、１８０００（脂肪酸アミン系）、１１２００、２４０００、２８０００」（いずれも商品名）；ＢＡＳＦジャパン株式会社製「エフカ４００、４０１、４０２、４０３、４５０、４５１、４５３（変性ポリアクリレート）、４６、４７、４８、４９、４０１０、４０５５（変性ポリウレタン）」（いずれも商品名）；楠本化成株式会社製「ディスパロンＫＳ−８６０、ＫＳ−８７３Ｎ４（ポリエステルのアミン塩）」（いずれも商品名）；第一工業製薬株式会社製「ディスコール２０２、２０６、ＯＡ−２０２、ＯＡ−６００（多鎖型高分子非イオン系）」（いずれも商品名）；ビックケミー・ジャパン株式会社製「ＤＩＳＰＥＲＢＹＫ２１５５、９０７７」（いずれも商品名）；クローダジャパン株式会社製「ＨｙｐｅｒｍｅｒＫＤ２、ＫＤ３、ＫＤ１１、ＫＤ１２」（いずれも商品名）等が挙げられる。
【００２７】
顔料分散剤は、上記顔料を十分にインク中に分散可能な量であれば足り、適宜設定できる。例えば、質量比で、顔料１に対し顔料分散剤を０．１〜５で配合することができ、好ましくは０．１〜１である。また、顔料分散剤は、インク全量に対し、０．０１〜１０質量％で配合することができ、好ましくは０．０１〜５質量％である。
油性インクには、顔料分散剤を含む樹脂成分は、インク全量に対し１０質量％以下で配合することができ、より好ましくは７質量％以下であり、さらに好ましくは５質量％以下である。これによって、インク粘度の上昇を防止し、吐出性能をより改善することができる。
【００２８】
染料としては、当該技術分野で一般に用いられているものを任意に使用することができる。油性インクでは、染料は、インクの非水系溶剤に親和性を示すことで、貯蔵安定性がより良好となるため、油溶性染料を用いることが好ましい。
油溶性染料としては、アゾ染料、金属錯塩染料、ナフトール染料、アントラキノン染料、インジゴ染料、カーボニウム染料、キノンイミン染料、キサンテン染料、シアニン染料、キノリン染料、ニトロ染料、ニトロソ染料、ベンゾキノン染料、ナフトキノン染料、フタロシアニン染料、金属フタロシアニン染料等を挙げることができる。これらは単独で、または複数種を組み合わせて使用してもよい。
染料は、インク全量に対し、通常０．０１〜２０質量％であり、印刷濃度とインク粘度の観点から、１〜１５質量％であることが好ましく、５〜１０質量％であることが一層好ましい。
【００２９】
インクは、シリコーンオイル（ａ）と、エチレン性不飽和二重結合を有するカルボン酸エステル系溶剤（ｂ）、エチレン性不飽和二重結合を有するアルコール系溶剤（ｃ１）及びエチレン性不飽和二重結合を有する固体アルコール（ｃ２）からなる群から選択される１種以上とを含むことができる。
【００３０】
インクは、シリコーンオイル（ａ）、カルボン酸エステル系溶剤（ｂ）、及びアルコール系溶剤（ｃ１）を含む非水系溶剤及び固体アルコール（ｃ２）の合計量Ａに対して、各成分を以下の質量割合で含むことができる。インクにその他の非水系溶剤が含まれる場合は、合計量Ａには、その他の非水系溶剤の質量が含まれる。
【００３１】
シリコーンオイルは、合計量Ａに対し、１５質量％以上で含まれる。これによって、非水系溶剤全体の粘度上昇を抑制して、吐出性能を改善することができる。より好ましくは、シリコーンオイルは、合計量Ａに対し、２０質量％以上、特に２５質量％以上で含まれる。
シリコーンオイルは、合計量Ａに対し、９８質量％以下で含ませてよく、好ましくは９５質量％以下である。シリコーンオイルは、ノズルプレートの材質によってはノズルプレートに親和性があるため、その配合量をある程度制限することで、ノズルプレートに対するインクの濡れ性を改善することができる。
【００３２】
カルボン酸エステル系溶剤（ｂ）は、合計量Ａに対し８５質量％以下であり、より好ましくは７５質量％以下である。これによって、カルボン酸エステル系溶剤（ｂ）が高炭素数で高粘度の場合は、インク全体の高粘度化を防止し、吐出性能を改善することができる。カルボン酸エステル系溶剤（ｂ）が低炭素数の場合はクリアファイルと構造が似てくるので、その配合量を制限することで、クリアファイルの変形を防止することができる。
一方、カルボン酸エステル系溶剤（ｂ）は、合計量Ａに対し１質量％以上が好ましく、５質量％以上がより好ましく、１０質量％以上、さらには２０質量％以上であってもよい。これによって、カルボン酸エステル系溶剤（ｂ）による色材の分散性ないし溶解性の効果が高まり、ノズルプレートへのインクの付着を防止することができる。
【００３３】
アルコール系溶剤（ｃ１）及び固体アルコール（ｃ２）の合計量は、合計量Ａに対し２０質量％以下であり、より好ましくは１５質量％以下である。これによって、アルコール系溶剤（ｃ１）及び固体アルコール（ｃ２）は、比較的に高粘度であるため、その配合量を制限することで、インク全体の高粘度化を防止し、吐出性能を改善することができる。
一方、アルコール系溶剤（ｃ１）及び固体アルコール（ｃ２）の合計量は、合計量Ａに対し１質量％以上であることが好ましく、より好ましくは３質量％以上であり、さらに好ましくは５質量％以上である。これによって、アルコール系溶剤（ｃ１）及び固体アルコール（ｃ２）による色材の分散性ないし溶解性の効果が高まり、ノズルプレートへのインクの付着を防止することができる。
吐出性能とクリアファイルの変形防止とを両立するために、アルコール系溶剤（ｃ１）及び固体アルコール（ｃ２）の合計量は、シリコーンオイル（ａ）１００質量部に対し、５０質量部以下にすることが好ましい。
【００３４】
カルボン酸エステル系溶剤（ｂ）、アルコール系溶剤（ｃ１）及び固体アルコール（ｃ２）は、それぞれ１種、又は２種以上を組み合わせてインクに含ませることができる。また、カルボン酸エステル系溶剤（ｂ）、アルコール系溶剤（ｃ１）及び固体アルコール（ｃ２）は、単独で、又は（ａ）、（ｂ）、（ｃ１）及び（ｃ２）の中から２種以上を組み合わせてインクに含ませることができる。
カルボン酸エステル系溶剤（ｂ）、アルコール系溶剤（ｃ１）及び固体アルコール（ｃ２）の合計量は、合計量Ａに対し、好ましくは３〜８５質量％である。
カルボン酸エステル系溶剤（ｂ）、アルコール系溶剤（ｃ１）及び固体アルコール（ｃ２）の合計量は、インク全量に対し１〜８０質量％であってよい。シリコーンオイル（ａ）は、インク全量に対し１０〜９７質量％であってよい。
【００３５】
特に、シリコーンオイル（ａ）と、１分子中の炭素数が５〜１８である低炭素数のカルボン酸エステル系溶剤（ｂ）とを組み合わせて用いる場合は、低炭素数のカルボン酸エステル系溶剤（ｂ）は、クリアファイル変形を防止する観点から、合計量Ａに対し２５質量％未満が好ましく、２０質量％以下がより好ましい。
低炭素数のカルボン酸エステル系溶剤（ｂ）を用いる場合は、クリアファイル変形を防止するために、その配合量が制限される。この場合、炭素数８以上、好ましくは炭素数１９以上の高炭素数の飽和脂肪酸エステルをさらに用いることができる。飽和脂肪酸エステルとしては、例えば、イソノナン酸イソノニル、イソノナン酸イソデシル、イソノナン酸イソトリデシル、ラウリン酸メチル、ラウリン酸イソプロピル、ラウリン酸ヘキシル、ミリスチン酸イソプロピル、パルミチン酸イソプロピル、パルミチン酸ヘキシル、パルミチン酸イソステアリル、ステアリン酸ブチル、ステアリン酸ヘキシル、ステアリン酸イソオクチル、イソステアリン酸イソプロピル等が挙げられる。
【００３６】
また、シリコーンオイル（ａ）と、１分子中の炭素数が１９〜３５である高炭素数のカルボン酸エステル系溶剤（ｂ）とを組み合わせて用いる場合は、高炭素数のカルボン酸エステル系溶剤（ｂ）は、合計量Ａに対し２５質量％以上が好ましく、３０質量％以上がより好ましい。カルボン酸エステル系溶剤（ｂ）の配合量を多くするほど、カルボン酸エステル系溶剤（ｂ）による色材の分散性ないし溶解性の効果を高めて、ノズルプレートへのインクの付着を防止することができる。
【００３７】
また、シリコーンオイル（ａ）と、アルコール系溶剤（ｃ１）及び／又は固体アルコール（ｃ２）とを組み合わせて用いる場合は、シリコーンオイル（ａ）は、合計量Ａに対し８０質量％以上が好ましく、８５質量％以上がより好ましく、９０質量％以上がさらに好ましい。アルコール系溶剤（ｃ１）及び固体アルコール（ｃ２）は、クリアファイル変形を防止することができるが、高粘度液体または固体であるためインクの吐出性能を低下させることがある。そのため、比較的低粘性でありながらクリアファイル変形を防止するシリコーンオイル（ａ）を多めに配合することが好ましい。
この場合、炭素数８以上、好ましくは炭素数８〜２２の飽和アルコールをさらに用いることができる。飽和アルコールとしては、イソミリスチルアルコール、イソパルミチルアルコール、イソステアリルアルコール、イソエイコシルアルコール、デシルテトラデカノール等が挙げられる。
【００３８】
シリコーンオイル（ａ）は、１分子内にケイ素原子及び炭素原子を有し、２３℃において液体状の化合物である。
シリコーンオイル（ａ）としては、シリル基を有する化合物、シリルオキシ基を有する化合物、シロキサン結合を有する化合物等を用いることができ、特にポリシロキサン化合物を好ましく用いることができる。
【００３９】
シリコーンオイル（ａ）としては、例えば、鎖状シリコーンオイル、環状シリコーンオイル、変性シリコーンオイル等を用いることができる。
鎖状シリコーンオイルは、ケイ素数が２〜３０の鎖状ポリシロキサンであることが好ましく、２〜２０がより好ましく、３〜１０が一層好ましい。鎖状シリコーンオイルとしては、例えば、テトラデカメチルヘキサシロキサン、ヘキサデカメチルヘプタシロキサン等の直鎖ジメチルシリコーンオイル、メチルトリス（トリメチルシロキシ）シラン、テトラキス（トリメチルシロキシ）シラン等の分岐ジメチルシリコーンオイルが挙げられる。
環状シリコーンオイルとしては、ケイ素数が５〜９の環状ポリシロキサンであることが好ましく、デカメチルシクロペンタシロキサン、ドデカメチルシクロヘキサシロキサン、ヘキサデカメチルシクロオクタシロキサン、オクタデカメチルシクロノナシロキサン等の環状ジメチルシリコーンオイルを好ましく用いることができる。
【００４０】
変性シリコーンオイルとしては、鎖状又は環状のジメチルシリコーンオイルの一部のケイ素原子に各種有機基を導入したシリコーンオイルを用いることができる。変性シリコーンオイルとしては、すべてのケイ素原子が炭素原子またはシロキサン結合の酸素原子のいずれかとのみ結合していることが好ましい。変性シリコーンオイルとしては、非反応性シリコーンオイルであることが好ましい。変性シリコーンオイルとしては、その構成原子がケイ素原子、炭素原子、酸素原子、水素原子のみからなることが好ましい。
【００４１】
変性シリコーンオイルとしては、例えば、鎖状又は環状のジメチルシリコーンオイルに含まれる少なくとも１つのメチル基が、アルキル基、カルボン酸エステル結合含有基、芳香環含有基、及びエーテル結合含有基からなる群から選択される１種以上によって置換された化合物を用いることができる。
また、変性シリコーンオイルとしては、例えば、鎖状又は環状のジメチルシリコーンオイルに含まれる少なくとも１つのケイ素原子に、アルキレン基を介してさらに別の鎖状又は環状のジメチルシリコーンオイルのケイ素原子が結合する化合物を用いることができる。この場合、アルキレン基を介して結合する鎖状又は環状のジメチルシリコーンオイルに含まれる少なくとも１つのメチル基は、アルキル基、カルボン酸エステル結合含有基、芳香環含有基、及びエーテル結合含有基からなる群から選択される１種以上によって置換されていてもよい。
【００４２】
変性シリコーンオイルとしては、例えば、アルキル変性シリコーンオイル、フェニル変性シリコーンオイルやアラルキル変性シリコーンオイル等のアリール変性シリコーンオイル、カルボン酸エステル変性シリコーンオイル、アルキレン変性シリコーンオイル、ポリエーテル変性シリコーンオイル等が挙げられる。
変性シリコーンオイルとしては、ケイ素数が２〜２０であることが好ましく、２〜１０がより好ましく、２〜６がさらに好ましく、３〜６が一層好ましい。
【００４３】
アルキル変性シリコーンオイルとしては、例えば、エチル基、プロピル基、ｎ−ブチル基、イソブチル基、ｔｅｒｔ−ブチル基、ペンチル基、ヘキシル基、ヘプチル基、オクチル基、イソオクチル基、ノニル基、デシル基、ドデシル基、ヘキサデシル基、エイコシル基等の炭素数２〜２０のアルキル基を、１分子中に１個、又は２個以上有するシリコーンオイルが挙げられる。
【００４４】
アリール変性シリコーンオイルとしては、例えば、フェニル基、トリル基、キシリル基、トリメチルフェニル基、ビフェニル基、ナフチル基、アントラセニル基等、又はこれらの少なくとも１個の水素原子がアルキル基に置換された官能基等を、１分子中に１個、又は２個以上有するシリコーンオイルが挙げられる。
【００４５】
なかでも、フェニル変性シリコーンオイルとしては、例えば、ジフェニルジメチコン、トリメチルシロキシフェニルジメチコン、フェニルトリメチコン、ジフェニルシロキシフェニルトリメチコン、トリメチルペンタフェニルトリシロキサン、１，１，１，５，５，５−ヘキサメチル−３−フェニル−３−（トリメチルシリルオキシ）トリシロキサン等のメチルフェニルシリコーン等が挙げられる。
【００４６】
また、エステル変性シリコーンオイルとしては、例えば、炭素数１〜２０のアルキル基を有するアルキルカルボニルオキシ基、炭素数１〜２０のアルコキシ基を有するアルコキシカルボニル基等を、１分子中に１個、又は２個以上有するシリコーンオイルが挙げられる。
【００４７】
シリコーンオイル（ａ）としては、例えば、信越化学工業株式会社製「ＫＦ−９６Ｌ−２ＣＳ」、「ＫＦ−５６Ａ」；東レ・ダウコーニング株式会社製「ＤＣ２４６Ｆｌｕｉｄ」、「ＦＺ−３１９６」；東京化成工業株式会社製「１，１，１，５，５，５−ヘキサメチル−３−フェニル−３−（トリメチルシリルオキシ）トリシロキサン」、「ヘキサメチルシクロトリシロキサン」、「オクタメチルシクロテトラシロキサン」、「デカメチルシクロペンタシロキサン」、「ドデカメチルシクロヘキサシロキサン」等の市販品を用いてもよい。
【００４８】
カルボン酸エステル系溶剤（ｂ）は、エチレン性不飽和二重結合を有するカルボン酸エステルであって、２３℃において液体状の化合物である。
カルボン酸エステル系溶剤（ｂ）は、１分子中にエチレン性不飽和二重結合を１個又は２個以上有してもよいが、インクを低粘度化することができるため、１分子中のエチレン性不飽和二重結合は１個又は２個であることが好ましい。
カルボン酸エステル系溶剤（ｂ）は、１分子中にエチレン性不飽和二重結合が２個以上ある場合は、カルボン酸部分及びアルコール部分の一方に２個以上のエチレン性不飽和二重結合を有してもよく、あるいは、両方にそれぞれ１個又は２個以上のエチレン性不飽和二重結合を有してもよい。
【００４９】
カルボン酸エステル系溶剤（ｂ）は、１分子中の炭素数が５以上であることが好ましく、より好ましくは８以上であり、さらに好ましくは１８以上である。これによって、カルボン酸エステル系溶剤（ｂ）の炭化水素基が高炭素数になって、クリアファイルと構造が異なるようになり、印刷物によるクリアファイルの変形を防止することができる。また、カルボン酸エステル系溶剤（ｂ）が低揮発性になって、さらに印刷物によるクリアファイルの変形を防止することができる。
一方、カルボン酸エステル系溶剤（ｂ）は、１分子中の炭素数が４０以下であることが好ましく、より好ましくは３５以下であり、さらに好ましくは３０以下である。これによって、カルボン酸エステル系溶剤（ｂ）が低粘度となって、インク全体を低粘度化して、吐出性能を改善することができる。また、カルボン酸エステル系溶剤（ｂ）が低粘度であることで、インクへの配合量を多くすることができ、ノズルプレートに対するインクの濡れ性を改善する効果を高めることができる。
印刷物によるクリアファイルの変形防止、吐出性能の改善、及びノズルプレートに対するインクの濡れ性の改善の観点から、１分子中の炭素数が５〜３５であるカルボン酸エステル系溶剤（ｂ）が好ましく、特に、１分子中のエチレン性不飽和二重結合が１個又は２個であり、炭素数が１８〜３５であるカルボン酸エステル系溶剤（ｂ）が好ましい。
【００５０】
さらに、カルボン酸エステル系溶剤（ｂ）は、１分子中の炭素数が１８以上であることが好ましく、より好ましくは２０以上であり、さらに好ましくは２４以上である。高炭素数のカルボン酸エステル系溶剤（ｂ）は、極性がより高く、色材の分散性ないし溶解性の効果を高めることができる。また、高炭素数のカルボン酸エステル系溶剤（ｂ）は、印刷物によるクリアファイルの変形を防止することができるため、その配合量を多くすることができ、色材の分散性ないし溶解性の効果をより高めることができる。
１分子中の炭素数の合計が２０以上である場合では、カルボン酸エステル系溶剤（ｂ）は、合計量Ａに対し２０質量％以上であることが好ましく、より好ましくは２５質量％以上であり、さらに好ましくは３０質量％以上であり、５０質量％以上、さらに７０質量％以上で配合してもよい。
【００５１】
カルボン酸エステル系溶剤（ｂ）としては、エチレン性不飽和二重結合を有するモノカルボン酸エステル（ｂ１）、エチレン性不飽和二重結合を有するジカルボン酸エステル（ｂ２）、エチレン性不飽和二重結合を有するトリカルボン酸エステル（ｂ３）、エチレン性不飽和二重結合を有する二塩基酸エステル（ｂ４）、エチレン性不飽和二重結合を有する三塩基酸エステル（ｂ５）等を用いることができる。
【００５２】
モノカルボン酸エステル（ｂ１）は、モノカルボン酸とアルコールとの反応生成物を用いることができる。
例えば、飽和又は不飽和の脂肪族又は芳香族のモノカルボン酸と、飽和又は不飽和の脂肪族又は芳香族のアルコールとを、一方又は両方にエチレン性不飽和二重結合が含まれるように組み合わせて、反応させることができる。
【００５３】
飽和の脂肪族又は芳香族のモノカルボン酸としては、炭素数２〜３１が好ましく、炭素数２〜２３がより好ましく、炭素数２〜２０がさらに好ましく、例えば、酢酸、プロパン酸、ブタン酸、２−メチルプロピオン酸、ペンタン酸、２−メチルブタン酸、３−メチルブタン酸（イソ吉草酸）、ピバル酸（ネオペンタン酸）、ヘキサン酸、２−エチルブタン酸、イソへプタン酸、ｎ−オクタン酸、イソオクタン酸、２-エチルヘキサン酸（オクタン酸）、ノナン酸、イソノナン酸、デカン酸、イソデカン酸、ドデカン酸、ミリスチン酸、イソミリスチン酸、パルミチン酸、イソパルミチン酸、ステアリン酸、イソステアリン酸、イソステアリン酸、イソアラキン酸等の脂肪族モノカルボン酸；安息香酸、２−メチル安息香酸、３−メチル安息香酸、４−メチル安息香酸、３，４ジメチル安息香酸、４−ｔｅｒｔブチル安息香酸、１−ナフタレンカルボン酸等の芳香族モノカルボン酸等が挙げられる。
【００５４】
不飽和の脂肪族又は芳香族のモノカルボン酸としては、炭素数３〜３２が好ましく、炭素数３〜２４がより好ましく、例えば、ソルビン酸、ミリストレイン酸、パルミトレイン酸、エイコセン酸、エルカ酸、オレイン酸、リノール酸、リノレン酸、ネルボン酸、大豆油、トール油、桂皮酸、２−メチル桂皮酸等が挙げられる。
【００５５】
飽和の脂肪族又は芳香族のアルコールとしては、炭素数１〜３０が好ましく、炭素数１〜２２がより好ましく、炭素数６〜２０がさらに好ましく、例えば、メタノール、エタノール、プロパノール、イソプロパノール、ブタノール、イソブタノール、ｔ−ブタノール、ペンタノール、２−メチル−１−ブタノール、３−メチル−１−ブタノール、ヘキサノール、４−メチル−２−ペンタノール、２−エチルブタノール、ヘプタノール、オクタノール、２−エチルヘキサノール、ノニルアルコール、イソノニルアルコール、２，６−ジメチル−４−ヘプタノール、デカノール、ドデカノール、テトラデカノール、パルミチルアルコール、オクタデカノール、２−オクチルドデカノール等が挙げられる。
【００５６】
不飽和の脂肪族又は芳香族のアルコールとしては、炭素数２〜３０が好ましく、炭素数２〜２２がより好ましく、例えば、プレニルアルコール、ノネノール、パルミトレイルアルコール、オレイルアルコール、エルシルアルコール、シンナミルアルコール、クマリルアルコール、コニフェニルアルコール、シナピルアルコール等が挙げられる。
【００５７】
モノカルボン酸エステル（ｂ１）は、原料のモノカルボン酸とアルコールとを混合し、好ましくは加熱温度８０〜２３０℃で、加熱時間１〜４８時間で、反応させて得ることができる。加熱温度及び加熱時間は、原料の種類や仕込み量によって調整することができる。また、反応を促進するために触媒を用いてもよい。
【００５８】
モノカルボン酸エステル（ｂ１）の一例として、下記一般式（ｂ１）で表される化合物を用いることができる。
Ｒ１−ＣＯＯ−Ｒ２                      （ｂ１）
【００５９】
一般式（ｂ１）において、Ｒ１及びＲ２は、それぞれ独立的に飽和又は不飽和の脂肪族又は芳香族の炭化水素基であり、Ｒ１及びＲ２のうち少なくとも一方は、エチレン性不飽和二重結合を有する炭化水素基である。
Ｒ１及びＲ２で表される飽和の炭化水素基は、それぞれ独立的に、炭素数が１〜２２であることが好ましい。
Ｒ１及びＲ２で表されるエチレン性不飽和二重結合を有する炭化水素基は、それぞれ独立的に、炭素数が５〜２２であることが好ましい。
【００６０】
Ｒ１及びＲ２で表される飽和又は不飽和の炭化水素基は、それぞれ独立的に、直鎖又は分岐鎖を有してもよく、炭素数１〜２２が好ましく、炭素数５〜２２がより好ましい。
Ｒ１及びＲ２で表されるエチレン性不飽和二重結合を有する炭化水素基は、それぞれ独立的に、直鎖又は分岐鎖を有してもよく、脂肪族炭化水素基又は芳香族炭化水素基であってもよく、炭素数２〜２２が好ましく、炭素数５〜２２がより好ましい。
【００６１】
モノカルボン酸エステル（ｂ１）は、例えば、酢酸エルシル、酢酸オレイル、オクタン酸オレイル、ノナン酸オレイル、桂皮酸オレイル、デカン酸オレイル、ウンデカン酸オレイル、ソルビン酸エチル、エルカ酸エチル、オレイン酸メチル、オレイン酸エチル、オレイン酸ブチル、オレイン酸イソプロピル、オレイン酸ヘキシル、オレイン酸ノニル、オレイン酸デシル、オレイン酸ウンデシル、オレイン酸ドデシル、リノール酸メチル、リノール酸エチル、リノール酸イソブチル、大豆油メチル、大豆油イソブチル、トール油メチル、トール油イソブチル、桂皮酸イソプロピル、桂皮酸ノニル、桂皮酸デシル、桂皮酸ウンデシル、桂皮酸ドデシル、ノナン酸シンナミル、デカン酸シンナミル、ウンデカン酸シンナミル、ドデカン酸シンナミル、安息香酸プレニル、イソ吉草酸シンナミル、桂皮酸シンナミル等が挙げられる。
中でも、オレイン酸ノニル、オレイン酸デシル、オレイン酸ウンデシル、オクタン酸オレイル、ノナン酸オレイル、デカン酸オレイル、ウンデカン酸オレイルが好ましい。
【００６２】
ジカルボン酸エステル（ｂ２）、トリカルボン酸エステル（ｂ３）、二塩基酸エステル（ｂ４）、三塩基酸エステル（ｂ５）は、それぞれ、ジカルボン酸と一価アルコール、トリカルボン酸と一価アルコール、モノカルボン酸と二価アルコール、モノカルボン酸と三価アルコールの反応生成物を用いることができる。
例えば、飽和又は不飽和の脂肪族又は芳香族のモノカルボン酸、ジカルボン酸、又はトリカルボン酸と、飽和又は不飽和の脂肪族又は芳香族の一価アルコール、二価アルコール又は三価アルコールとを、一方又は両方にエチレン性不飽和二重結合が含まれるように組み合わせて、反応させることができる。
【００６３】
飽和ジカルボン酸としては、炭素数２〜３１が好ましく、炭素数２〜２３がより好ましく、炭素数２〜２０がさらに好ましく、例えば、シュウ酸、マロン酸、コハク酸、グルタル酸、アジピン酸、ピメリン酸、スベリン酸、アゼライン酸、セバシン酸等の脂肪族ジカルボン酸；フタル酸、テレフタル酸、イソフタル酸等の芳香族ジカルボン酸等が挙げられる。
飽和トリカルボン酸としては、炭素数５〜２５が好ましく、炭素数５〜２０がより好ましく、炭素数５〜１８がさらに好ましく、例えば、トリカルバリル酸、エタントリカルボン酸等の脂肪族トリカルボン酸；トリメリット酸等の芳香族トリカルボン酸等が挙げられる。
飽和モノカルボン酸には、上記モノカルボン酸エステル（ｂ１）で説明したものを用いることができる。
【００６４】
不飽和ジカルボン酸としては、炭素数４〜３２が好ましく、炭素数４〜２４がより好ましく、炭素数４〜１６がさらに好ましく、例えば、フマル酸、マレイン酸、グルタコン酸、イタコン酸、シトラコン酸、メサコン酸、ムコン酸等が挙げられる。
不飽和トリカルボン酸としては、炭素数６〜２６が好ましく、炭素数６〜２１がより好ましく、炭素数６〜１６がさらに好ましく、例えば、１−プロペン−１，２，３トリカルボン酸等が挙げられる。
不飽和モノカルボン酸には、上記モノカルボン酸エステル（ｂ１）で説明したものを用いることができる。
【００６５】
飽和二価アルコールとしては、炭素数２〜３０が好ましく、炭素数２〜２２がより好ましく、炭素数２〜２０がさらに好ましく、例えば、エチレングリコール、プロピレングリコール、イソプロピレングリコール、１，３−プロパンジオール、ジエチレングリコール、１，３−ブチレングリコール、１，４−ブタンジオール、２，３−ブタンジオール、１，２−ペンタンジオール、２，２−ジメチルプロパン−１，３−ジオール（ネオペンチルグリコール）、１，５−ペンタンジオール、ジプロピレングリコール、１，６−ヘキサンジオール、３−メチル−１，５−ペンタンジオール（メチルペンタンジオール）、１，４−シクロヘキサンジメタノール、１，３−シクロヘキサンジメタノール、１，９−ノナンジオール、２，４−ジエチル−１，５−ペンタンジオール（ジエチルペンタンジオール）、１，１０−デカンジオール等が挙げられる。
飽和三価アルコールとしては、炭素数２〜２５が好ましく、炭素数２〜２２がより好ましく、炭素数２〜２０がさらに好ましく、例えば、グリセリン、トリメチロールエタン、トリメチロールプロパン、１，１，１−エタントリオール、１，２，３−ブタントリオール、１，２，４−ブタントリオール、１，２，３−シクロヘキサンとトリオール、１，２，６−ヘキサントリオール、１，２，８−オクタントリオール、１，２，９−ノナントリオール等が挙げられる。
飽和一価アルコールには、上記モノカルボン酸エステル（ｂ１）で説明したものを用いることができる。
【００６６】
不飽和二価アルコールとしては、炭素数２〜３０が好ましく、炭素数２〜２２がより好ましく、炭素数２〜２０がさらに好ましく、例えば、１，２−エテンジオール、１，４−ブテンジオール、２−ブテン−１，４−ジオール、７−オクテン−１，２−ジオール等が挙げられる。
不飽和三価アルコールとしては、炭素数３〜２５が好ましく、炭素数３〜２２がより好ましく、炭素数２〜２０がさらに好ましく、例えば、１，２，３−プロペントリオール、２−メチル−３−ブテン−１，２，３−トリオール、１−デセン−３，４，６−トリオール等が挙げられる。
不飽和一価アルコールには、上記モノカルボン酸エステル（ｂ１）で説明したものを用いることができる。
【００６７】
上記したカルボン酸エステルは、上記モノカルボン酸エステル（ｂ１）と同様の方法によって合成することができる。
【００６８】
ジカルボン酸エステル（ｂ２）は、例えば、フマル酸ジオクチル、マレイン酸ジオクチル、イタコン酸ジオクチル、シュウ酸ジプレニル、マロン酸ジプレニル、コハク酸ジプレニル、フタル酸ジプレニル、マレイン酸ジプレニル等が挙げられる。
トリカルボン酸エステル（ｂ３）は、例えば、トリメリット酸トリプレニル、１−プロペン−１，２，３トリカルボン酸トリオクチル等が挙げられる。
二塩基酸エステル（ｂ４）は、例えば、エチレングリコールジオレート、プロピレングリコールジオレート、１，２−プロパンジオールジオレート等が挙げられる。
三塩基酸エステル（ｂ５）は、例えば、グリセリントリオレート、トリメチロールプロパントリオレート、トリメチロールエタントリオレート等が挙げられる。
上記したカルボン酸エステル系溶剤（ｂ）は、単独で、又は２種以上を組み合わせて用いることができる。
【００６９】
アルコール系溶剤（ｃ１）は、エチレン性不飽和二重結合を有するアルコール系溶剤であって、２３℃において液体状の化合物である。
固体アルコール（ｃ２）は、エチレン性不飽和二重結合を有する固体アルコールであって、２３℃において固体状の化合物である。固体アルコール（ｃ２）は、併用する非水系溶剤に可溶な化合物であることが好ましい。
アルコール系溶剤（ｃ１）及び固体アルコール（ｃ２）は、それぞれ１分子中にエチレン性不飽和二重結合を１個又は２個以上有してもよいが、インクを低粘度化することができるため、エチレン性不飽和二重結合は１個であることが好ましい。
アルコール系溶剤（ｃ１）及び固体アルコール（ｃ２）は、それぞれ水酸基を１個、２個又は３個以上有してもよいが、インクを低粘度化することができるため、１個の水酸基を有する１価アルコールであることが好ましい。
【００７０】
アルコール系溶剤（ｃ１）及び固体アルコール（ｃ２）は、それぞれ１分子中の炭素数が５以上であることが好ましく、より好ましくは８以上であり、さらに好ましくは１２以上である。これによって、アルコール成分の炭化水素基が高炭素数になって、クリアファイルと構造が異なるようになり、印刷物によるクリアファイルの変形を防止することができる。また、アルコール成分が低揮発性になって、さらに印刷物によるクリアファイルの変形を防止することができる。
一方、アルコール系溶剤（ｃ１）及び固体アルコール（ｃ２）は、それぞれ１分子中の炭素数が３５以下であることが好ましく、より好ましくは２２以下であり、さらに好ましくは２０以下である。これによって、アルコール系溶剤（ｃ１）が低粘度となって、インク全体を低粘度化して、吐出性能を改善することができる。また、固体アルコール（ｃ２）が溶解した非水系溶剤が低粘度となり、インク全体を低粘度化することができる。インク全体を低粘度化できるため、インクへのアルコール成分の配合量を多くすることができ、ノズルプレートに対するインクの濡れ性を改善する効果を高めることができる。
アルコール系溶剤（ｃ１）及び固体アルコール（ｃ２）は、印刷物によるクリアファイルの変形防止、吐出性能の改善、ノズルプレートに対するインクの濡れ性の改善の観点から、１分子中の炭素数が１６〜１８であるアルコールが好ましく、特に、１分子中のエチレン性不飽和二重結合が１個であり、炭素数が１６〜１８であるアルコールが好ましい。
【００７１】
アルコール系溶剤（ｃ１）及び固体アルコール（ｃ２）としては、例えば、脂肪族アルコール、芳香族アルコール等を用いることができる。脂肪族アルコールは、直鎖又は分岐鎖を有していてもよく、好ましくは、１分子中に１個の不飽和二重結合を有し、炭素数が８〜２２である高級脂肪族アルコールである。芳香族アルコールは、例えば、ベンゼン環の少なくとも１個の炭素原子に、少なくとも１個のエチレン性不飽和二重結合を有する脂肪族炭化水素基が結合する化合物等を挙げることができる。アルコール自体が低粘度であることから、脂肪族アルコールが好ましい。
【００７２】
アルコール系溶剤（ｃ１）は、例えば、プレニルアルコール、パルミトレイルアルコール、オレイルアルコール、ネロール、ゲラニオール、リナロール、フィトール、イソフィトール等が挙げられる。
固体アルコール（ｃ２）は、例えば、シンナミルアルコール、エライジルアルコール、エルシルアルコール等が挙げられる。
【００７３】
好ましくは、パルミトレイルアルコール、オレイルアルコール、エライジルアルコール、及びエルシルアルコールからなる群から選択される１種以上を用いることができる。これらは、合計量で、合計量Ａに対し３質量％以上が好ましく、５質量％以上がより好ましい。
【００７４】
インクには、その他の非水系溶剤が含まれてもよい。
その他の非水系溶剤としては、非極性有機溶剤及び極性有機溶剤のいずれも使用できる。なお、本実施形態において、非水系溶剤には、１気圧２０℃において同容量の水と均一に混合しない非水溶性有機溶剤を用いることが好ましい。
【００７５】
非極性有機溶剤としては、例えば、脂肪族炭化水素溶剤、脂環式炭化水素溶剤、芳香族炭化水素溶剤等の石油系炭化水素溶剤を好ましく挙げることができる。
脂肪族炭化水素溶剤及び脂環式炭化水素溶剤としては、パラフィン系、イソパラフィン系、ナフテン系等の非水系溶剤を挙げることができる。市販品としては、０号ソルベントＬ、０号ソルベントＭ、０号ソルベントＨ、カクタスノルマルパラフィンＮ−１０、カクタスノルマルパラフィンＮ−１１、カクタスノルマルパラフィンＮ−１２、カクタスノルマルパラフィンＮ−１３、カクタスノルマルパラフィンＮ−１４、カクタスノルマルパラフィンＮ−１５Ｈ、カクタスノルマルパラフィンＹＨＮＰ、カクタスノルマルパラフィンＳＨＮＰ、アイソゾール３００、アイソゾール４００、テクリーンＮ−１６、テクリーンＮ−２０、テクリーンＮ−２２、ＡＦソルベント４号、ＡＦソルベント５号、ＡＦソルベント６号、ＡＦソルベント７号、ナフテゾール１６０、ナフテゾール２００、ナフテゾール２２０（いずれもＪＸＴＧエネルギー株式会社製）；アイソパーＧ、アイソパーＨ、アイソパーＬ、アイソパーＭ、エクソールＤ４０、エクソールＤ６０、エクソールＤ８０、エクソールＤ９５、エクソールＤ１１０、エクソールＤ１３０（いずれもエクソンモービル社製）；モレスコホワイトＰ−４０、モレスコホワイトＰ−６０、モレスコホワイトＰ−７０、モレスコホワイトＰ−８０、モレスコホワイトＰ−１００、モレスコホワイトＰ−１２０、モレスコホワイトＰ−１５０、モレスコホワイトＰ−２００、モレスコホワイトＰ−２６０、モレスコホワイトＰ−３５０Ｐ（いずれも株式会社ＭＯＲＥＳＣＯ製）等を好ましく挙げることができる。
芳香族炭化水素溶剤としては、グレードアルケンＬ、グレードアルケン２００Ｐ（いずれもＪＸＴＧエネルギー株式会社製）、ソルベッソ１００、ソルベッソ１５０、ソルベッソ２００、ソルベッソ２００ＮＤ（いずれもエクソンモービル社製）等を好ましく挙げることができる。
石油系炭化水素溶剤の蒸留初留点は、１００℃以上であることが好ましく、１５０℃以上であることがより好ましく、２００℃以上であることがいっそう好ましい。蒸留初留点はＪＩＳ  Ｋ００６６「化学製品の蒸留試験方法」に従って測定することができる。
【００７６】
極性有機溶剤としては、脂肪酸エステル系溶剤、高級アルコール系溶剤、高級脂肪酸系溶剤等を好ましく挙げることができる。
例えば、イソノナン酸イソノニル、イソノナン酸イソデシル、イソノナン酸イソトリデシル（炭素数２２）、ラウリン酸メチル、ラウリン酸イソプロピル、ラウリン酸ヘキシル、ミリスチン酸イソプロピル、パルミチン酸イソプロピル、パルミチン酸ヘキシル、パルミチン酸イソステアリル、ステアリン酸ブチル、ステアリン酸ヘキシル、ステアリン酸イソオクチル、イソステアリン酸イソプロピル等の１分子中の炭素数が１３以上、好ましくは１６〜３０の脂肪酸エステル系溶剤；イソミリスチルアルコール、イソパルミチルアルコール、イソステアリルアルコール、イソエイコシルアルコール、デシルテトラデカノール等の１分子中の炭素数が６以上、好ましくは１２〜２０の高級アルコール系溶剤；ラウリン酸、イソミリスチン酸、パルミチン酸、イソパルミチン酸、α−リノレン酸、リノール酸、オレイン酸、イソステアリン酸等の１分子中の炭素数が１２以上、好ましくは１４〜２０の高級脂肪酸系溶剤等が挙げられる。
脂肪酸エステル系溶剤、高級アルコール系溶剤、高級脂肪酸系溶剤等の極性有機溶剤の沸点は、１５０℃以上であることが好ましく、２００℃以上であることがより好ましく、２５０℃以上であることがさらに好ましい。なお、沸点が２５０℃以上の非水系溶剤には、沸点を示さない非水系溶剤も含まれる。
【００７７】
これらの非水系溶剤は、単独で使用してもよく、単一の相を形成する限り２種以上を組み合わせて使用することもできる。
【００７８】
上記各成分に加えて、インクには、本発明の効果を損なわない限り、各種添加剤が含まれていてよい。添加剤としては、ノズルの目詰まり防止剤、酸化防止剤、導電率調整剤、粘度調整剤、表面張力調整剤、酸素吸収剤等を適宜添加することができる。これらの種類は、特に限定されることはなく、当該分野で使用されているものを用いることができる。
【００７９】
インクは、色材及び非水系溶剤を含む各成分を混合することで作製することができる。好ましくは、各成分を一括ないし分割して混合及び撹拌してインクを作製することができる。具体的には、ビーズミル等の分散機に全成分を一括又は分割して投入して分散させ、所望により、メンブレンフィルター等のろ過機を通すことにより調製できる。
【００８０】
油性インクジェットインクとしての粘度は、インクジェット記録システムの吐出ヘッドのノズル径や吐出環境等によってその適性範囲は異なるが、一般に、２３℃において５〜３０ｍＰａ・ｓであることが好ましく、５〜１５ｍＰａ・ｓであることがより好ましく、１０ｍＰａ・ｓ程度であることが、一層好ましい。
【００８１】
インクジェットインクを用いた印刷方法としては、特に限定されず、ピエゾ方式、静電方式、サーマル方式など、いずれの方式のものであってもよいが、ピエゾ方式であることが好ましい。インクジェット記録装置を用いる場合は、デジタル信号に基づいてインクジェットヘッドから本実施形態によるインクを吐出させ、吐出されたインク液滴を記録媒体に付着させるようにすることが好ましい。
【００８２】
本実施形態において、記録媒体は、特に限定されるものではなく、普通紙、コート紙、特殊紙等の印刷用紙、布、無機質シート、フィルム、ＯＨＰシート等、これらを基材として裏面に粘着層を設けた粘着シート等を用いることができる。これらの中でも、インクの浸透性の観点から、普通紙、コート紙等の印刷用紙を好ましく用いることができる。
【００８３】
ここで、普通紙とは、通常の紙の上にインクの受容層やフィルム層等が形成されていない紙である。普通紙の一例としては、上質紙、中質紙、ＰＰＣ用紙、更紙、再生紙等を挙げることができる。普通紙は、数μｍ〜数十μｍの太さの紙繊維が数十から数百μｍの空隙を形成しているため、インクが浸透しやすい紙となっている。
【００８４】
また、コート紙としては、マット紙、光沢紙、半光沢紙等のインクジェット用コート紙や、いわゆる塗工印刷用紙を好ましく用いることができる。ここで、塗工印刷用紙とは、従来から凸版印刷、オフセット印刷、グラビア印刷等で使用されている印刷用紙であって、上質紙や中質紙の表面にクレーや炭酸カルシウム等の無機顔料と、澱粉等のバインダーを含む塗料により塗工層を設けた印刷用紙である。塗工印刷用紙は、塗料の塗工量や塗工方法により、微塗工紙、上質軽量コート紙、中質軽量コート紙、上質コート紙、中質コート紙、アート紙、キャストコート紙等に分類される。
【実施例】
【００８５】
以下、本発明を実施例により詳細に説明する。本発明は以下の実施例に限定されない。
「インクの作製」
表１から表４にインク処方を示し、各表の下段に溶剤構成を示す。各表において、溶剤ｂのＲ１，Ｒ２のＣ数は、一般式（ｂ１）におけるＲ１，Ｒ２の炭素数を示す。
溶剤構成の合計量である「非水系溶剤＋成分ｃ２の合計」は、溶剤ａ、溶剤ｂ、溶剤ｃ１及びその他溶剤と、成分ｃ２との質量の合計である。
【００８６】
各表に示す配合量にしたがって、顔料、分散剤、及び各表に示す各種溶剤を混合し、ビーズミル「ダイノーミルＫＤＬ−Ａ」（株式会社シンマルエンタープライゼス製）により滞留時間１５分間の条件で、十分に顔料を分散した。続いて、メンブレンフィルターで粗大粒子を除去し、インクを得た。
実施例２１及び２３では、表中の下段に溶剤ａとともに成分ｃ２の配合を示し、溶剤ａとともに成分ｃ２を混合した他は、上記と同様にしてインクを作製した。
【００８７】
各表に示す非水系溶剤、固体アルコールの詳細を表５に示す。表５において、溶剤ｂのＲ１，Ｒ２は、一般式（ｂ１）におけるＲ１，Ｒ２を示す。
その他の原材料の詳細は以下の通りである。
カーボンブラック：三菱ケミカル株式会社製「＃１０００、カーボンブラック」。
銅フタロシアニンブルー：ＤＩＣ株式会社製「ＦＡＳＴＧＥＮ  Ｂｌｕｅ  ＬＡ５３８０」。
ソルスパース１６０００：日本ルーブリゾール社製「ソルスパース１６０００」、アミン系分散剤、有効成分１００質量％。
ソルスパース１３９４０：日本ルーブリゾール社製「ソルスパース１３９４０」、アミン系分散剤、有効成分４０質量％。
【００８８】
【表１】
2018141124.tif 000002
【００８９】
【表２】
2018141124.tif 000003
【００９０】
【表３】
2018141124.tif 000004
【００９１】
【表４】
2018141124.tif 000005
【００９２】
【表５】
2018141124.tif 000006
【００９３】
（製造例１）
表５に示すカルボン酸エステル系溶剤（ｂ）のうち合成品の合成方法を説明する。
カルボン酸エステル系溶剤（ｂ）の合成処方を表６に示す。
表に示すモノカルボン酸とアルコールとを表に示す配合割合にしたがって、四つ口フラスコに入れて混合撹拌し均一な溶液を得た。四つ口フラスコにディーンスターク装置を装着し、仕込んだ原材料が反応して水が発生したら取り除けるようにした。均一な溶液が入っている四つ口フラスコにさらに触媒を適量加え、系全体を加熱した。加熱温度は８０℃〜２３０℃に設定した。反応が進み、発生した水はディーンスターク装置に溜まるため、溜まった水はあふれないよう取り除いた。加熱反応時間は１ｈ〜４８ｈに設定した。未反応の原材料や不純物を取り除くため、得られた溶液を減圧蒸留した。減圧蒸留後、ろ過して得られた溶液をガスクロマトグラフを用いて測定し、単一成分であることを確認した。
【００９４】
【表６】
2018141124.tif 000007
【００９５】
「評価」
実施例及び比較例のインクについて、以下の方法により評価を行った。これらの評価結果を各表に示す。
【００９６】
（クリアファイルの波打ち）
クリアファイルの波打ち評価は、１枚の印刷物をＰＰ（ポリプロピレン）製クリアファイルに挟み、室温で放置し、１週間放置後に、クリアファイルの変形量を確認して評価した。クリアファイルの１枚のシートの厚さは０．２ｍｍであった。
印刷物は、ライン式インクジェットプリンタ「オルフィスＥＸ９０５０」（理想科学工業株式会社製）にインクを装填し、普通紙「理想用紙薄口」（理想科学工業株式会社製）に、主走査方向約５１ｍｍ（ノズル６００本）×副走査方向２６０ｍｍのベタ画像を片面印刷することにより作製した。
【００９７】
クリアファイルの変形量は、平らな面にクリアファイルを置き、この平面から、クリアファイルが変形し持ち上がった最大の高さを測定して求めた。評価基準を以下に示す。
Ｓ：クリアファイルの変形量が１ｃｍ未満である。
Ａ：クリアファイルの変形量が１ｃｍ以上５ｃｍ未満である。
Ｂ：クリアファイルの変形量が５ｃｍ以上である。
【００９８】
（ノズルプレートに対するインクの濡れ性）
各インクを３０ｍｌのガラス容器に入れ、インクジェットプリンタ「オルフィスＥＸ９０５０」（商品名：理想科学工業株式会社製）に使用されるノズルプレート（長さ５ｃｍ、幅５ｍｍ）の一辺をピンセットでつまみ、反対側の一辺から２ｃｍを５秒間インクに浸漬させた。その後、ノズルプレートを素早く引き上げ、ノズルプレート上に残ったインク膜がインク滴になるまでの時間ｔを測定した。同じノズルプレートを用いて同様の操作を１０回繰り返し、それぞれ時間ｔを測定した。その平均値を算出し、撥インク時間とした。撥インク時間から、ノズルプレートに対するインクの濡れ性を以下の基準で評価した。
ＳＳ：撥インク時間が３秒未満である。
Ｓ：撥インク時間が３秒以上５秒未満である。
Ａ：撥インク時間が５秒以上１０秒未満である。
Ｂ：撥インク時間が１０秒以上である。
【００９９】
（吐出性能）
吐出性能の評価は、ライン式インクジェットプリンタ「オルフィスＥＸ９０５０」（理想科学工業株式会社製）を用いて、普通紙「理想用紙薄口」（理想科学工業株式会社製）に、１００枚連続してベタ画像を片面印刷し、印刷物を観察して評価した。
印刷条件は、上記クリアファイルの波打ちの評価と同じである。
インクジェットノズルからのインクの不吐出は、印刷物に白いスジとなって非印字部分が発生することで確認することができる。１００枚の印刷物の中に、この白いスジが発生するか、または発生した本数を観察した。１００枚の印刷物に観察された白いスジの合計数から吐出性能を評価した。評価基準を以下に示す。
Ｓ：白いスジが２本以下である。
Ａ：白いスジが３〜４本である。
Ｂ：白いスジが５本以上である。
【０１００】
各表に示す通り、各実施例のインクでは、各評価結果が良好であった。特に詳述しないが、各実施例のインクを用いた印刷では、十分な画像濃度の印刷物を得ることができた。また、各実施例のインクでは、初期粘度が５〜３０ｍＰａ・ｓの範囲で、適正な粘度であった。
【０１０１】
実施例１〜６では、シリコーンオイル（ａ）とともにカルボン酸エステル系溶剤（ｂ）を組み合わせており、吐出性能とともに、クリアファイル変形及びインクの濡れ性を改善することができた。
実施例５及び６では、カルボン酸エステル系溶剤（ｂ）の１分子中の炭素数が１８以上であり、インクの濡れ性をより改善することができた。
実施例６では、シリコーンオイル（ａ）の配合量が少なく、カルボン酸エステル系溶剤（ｂ）の配合量が多いことからも、インクの濡れ性をより改善することができた。
実施例７では、顔料として銅フタロシアニンブルーを用いる構成で、シリコーンオイル（ａ）とともにカルボン酸エステル系溶剤（ｂ）を組み合わせており、実施例１〜６の顔料インクと同様に効果を得ることができた。
【０１０２】
実施例８〜１９では、シリコーンオイル（ａ）とともに、１分子中の炭素数が２４以上であるカルボン酸エステル系溶剤（ｂ）を組み合わせており、吐出性能とともに、クリアファイル変形及びインクの濡れ性を改善することができた。
実施例１０〜１９では、カルボン酸エステル系溶剤（ｂ）の炭素数が２６以上と高く単体の粘度が高いが、シリコーンオイル（ａ）を併用しているためインク全体の粘度上昇を抑制し、吐出安定性を確保しながら、クリアファイル変形及びインクの濡れ性を改善することができた。
実施例１０〜１９を通して、カルボン酸エステル系溶剤（ｂ）の配合量が多いことからインクの濡れ性をより改善することがわかる。また、カルボン酸エステル系溶剤（ｂ）が高粘度で配合量が多い実施例１９では吐出性能が若干低下した。
【０１０３】
実施例２０〜２３では、シリコーンオイル（ａ）とともに、アルコール系溶剤（ｃ１）又は固体アルコール（ｃ２）を組み合わせており、吐出性能とともに、クリアファイル変形及びインクの濡れ性を改善することができた。
実施例２０〜２３を通して、アルコール系溶剤（ｃ１）又は固体アルコール（ｃ２）の炭素数が高い方が、クリアファイル変形をより改善することができた。
【０１０４】
比較例１では、飽和脂肪酸エステル系溶剤のみで非水系溶剤を構成しており、吐出性能が低下した。
比較例２では、高炭素数のカルボン酸エステル系溶剤（ｂ）が、非水系溶剤＋成分ｃ２の合計に対し９０質量％と多く配合され、吐出性能が低下した。
比較例３では、低炭素数のカルボン酸エステル系溶剤（ｂ）が、非水系溶剤＋成分ｃ２の合計に対し９０質量％と多く配合され、クリアファイル変形が悪化した。
比較例４では、アルコール系溶剤（ｃ１）が、非水系溶剤＋成分ｃ２の合計に対し３０質量％と多く配合され、吐出性能が低下した。